【手続補正書】
【提出日】平成20年12月12日(2008.12.12)
【手続補正１】
【補正対象書類名】明細書
【補正対象項目名】０００６
【補正方法】変更
【補正の内容】
【０００６】
電極１４，１５間に電圧を印加するとフィルム２０の透明導電膜２２によってＸ方向に電位勾配ができ、接触点の電位がガラス板１１の透明導電膜１２を通じて検出され、所定の分圧を表す数式から、押し付け点（接触点）のＸ座標が分かる。電極２４，２５間に電圧を印加するとガラス板１１の透明導電膜１２によってＹ方向に電位勾配ができ、接触点の電位がフィルム２０の透明導電膜２２を通じて検出され、所定の分圧を表す数式から、押し付け点（接触点）のＹ座標が分かる。
【特許文献１】特開２００２−１９７９２４号公報（段落００２１記載参照）
【特許文献２】特開２００３−０５０６７４号公報（段落０００４記載参照）
【手続補正２】
【補正対象書類名】明細書
【補正対象項目名】００２１
【補正方法】変更
【補正の内容】
【００２１】
図４及び図５は本発明の実施例１になるタッチパネル５０を示す。タッチパネル５０は、入力点の座標の検出方式が一般的なものであって、且つ、ペン入力型であってアナログ抵抗膜式である。タッチパネル５０は、ＰＥＴフィルム本体６１の上面のハードコート層が、耐熱アクリル系樹脂の層６３である点が、図１及び図２に示すタッチパネル１０とは相違する。Ｘ１−Ｘ２は長い辺に沿う方向、Ｙ１−Ｙ２は短い辺に沿う方向である。タッチパネル５０は、基板である四角形状のガラス板５１の上面に、フィルム６０が枠状の両面接着テープ５９によって接着してあり、フィルム６０が空気層５８を介してガラス板５１を覆っており、フレキシブルケーブル５６が延びている構成である。ガラス板５１の上面には、透明導電膜（ＩＴＯ膜）５２が形成してあり、且つ、多数のドットスペーサ５３が分散して形成してあり、且つＹ方向上対向する辺に沿って細長い電極５４，５５が形成してある。フィルム６０は、ＰＥＴフィルム本体６１の下面に透明導電膜（ＩＴＯ膜）６２が密着して形成してあり、且つＰＥＴフィルム本体６１の上面にハードコート層としての耐熱アクリル系樹脂の層６３がＰＥＴフィルム本体６１の表面を保護するために形成してあり、且つ、Ｘ方向上対向する辺に沿って細長い電極６４、６５が形成してある構成である。層６３を構成する耐熱アクリル系樹脂は、１００℃時の加熱収縮率が０．５％以下であり、ポリアセタール製のペン７５に対する摩擦係数が１．０以下（ASTMD(American Society for Testing and Materials D)1894）である。
【手続補正３】
【補正対象書類名】明細書
【補正対象項目名】００２８
【補正方法】変更
【補正の内容】
【００２８】
図７は本発明の実施例２になるタッチパネル５０Ａを示す。タッチパネル５０Ａは、図４及び図５に示すタッチパネル５０とは、フィルム６０Ａが相違する。フィルム６０Ａは、ＰＥＴフィルム本体６１の下面に透明導電膜６２が密着して形成してあり、且つＰＥＴフィルム本体６１の上面に、耐熱アクリル系樹脂層８１及びアクリル樹脂層８３の順で重ねて形成してある構造である。フィルム６０Ａは、図４に示すフィルム６０と比較すると、アクリル樹脂層８３を追加して有する構造であり、図１に示すフィルム２０と比較すると、アクリル樹脂層８３とＰＥＴフィルム本体６１との間に、耐熱アクリル系樹脂層８１を追加して有する構造である。
【手続補正４】
【補正対象書類名】明細書
【補正対象項目名】００３２
【補正方法】変更
【補正の内容】
【００３２】
フィルム６０Ｂは、図１に示すＰＥＴフィルム本体２１と比較すると、ＰＥＴフィルム本体６１Ｂの厚さが二倍程度に厚くなっている構造である。
【手続補正５】
【補正対象書類名】明細書
【補正対象項目名】００３３
【補正方法】変更
【補正の内容】
【００３３】
厚みのあるＰＥＴフィルム本体６１Ｂは、ペン７５の繰り返し操作によってアクリル樹脂層８３に局部的に発生した摩擦熱を、フィルム６０Ｂの面方向や厚み方向に熱伝導させて分散させる働きをする。
【手続補正６】
【補正対象書類名】明細書
【補正対象項目名】００３５
【補正方法】変更
【補正の内容】
【００３５】
図９は本発明の実施例４になるタッチパネル５０Ｃを示す。タッチパネル５０Ｃは、図４及び図５に示すタッチパネル５０とは、フィルム６０Ｃが相違する。フィルム６０Ｃは、耐熱ＰＥＴフィルム本体６１Ｃの下面に透明導電膜６２が密着して形成してあり、且つ耐熱ＰＥＴフィルム本体６１Ｃの上面に、アクリル樹脂層８３が形成してある構造である。フィルム６０Ｃは、図１に示すフィルム２０と比較すると、ＰＥＴフィルム本体２１に代えて、耐熱ＰＥＴフィルム本体６１Ｃを有する構造である。
【手続補正７】
【補正対象書類名】明細書
【補正対象項目名】００４１
【補正方法】変更
【補正の内容】
【００４１】
図１１は本発明の実施例６になるタッチパネル５０Ｅを示す。タッチパネル５０Ｅは、図４及び図５に示すタッチパネル５０とは、フィルム６０Ｅが相違する。フィルム６０Ｅは、ＰＥＴフィルム本体６１の下面に耐熱アクリル系樹脂層９１が形成してあり、この耐熱アクリル系樹脂層９１の下面に透明導電膜６２が密着して形成してあり、且つＰＥＴフィルム本体６１の上面に、耐熱アクリル系樹脂層８１が形成してある構造である。フィルム６０Ｅは、図４に示すフィルム６０と比較すると、耐熱アクリル系樹脂層９１をＰＥＴフィルム本体６１と透明導電膜６２との間に追加的に有する構造である。
【手続補正８】
【補正対象書類名】明細書
【補正対象項目名】００４２
【補正方法】変更
【補正の内容】
【００４２】
耐熱アクリル系樹脂層８１はその摩擦係数が小さいという特性によってペン７５を繰り返し操作した場合に耐熱アクリル系樹脂層８１に局部的に発生する摩擦熱を抑える働きをする。また、下面側の耐熱アクリル系樹脂層９１は、耐熱アクリル系樹脂層８１に局部的に発生した摩擦熱を、フィルム６０Ｅの面方向に熱伝導させて分散させる働きをする。
【手続補正９】
【補正対象書類名】明細書
【補正対象項目名】００５０
【補正方法】変更
【補正の内容】
【００５０】
微粘着層部１１２が格子状であるため、保護シート１００をタッチパネル５０上に貼り付けるときに、貼り付けを格子単位で行うことが可能であり、気泡の発生及び異物の巻き込みは起き難い。また貼り付けた保護シート１１０を格子単位で剥離することが可能である。
【手続補正１０】
【補正対象書類名】明細書
【補正対象項目名】００５２
【補正方法】変更
【補正の内容】
【００５２】
液晶パネル７０の破線で囲む部分は、ＰＤＡ７２の電源をオンとしたときに表示される画像キー１３０〜１３５である。画像キー１３０〜１３４は使用頻度の高いキーである。画像キー１３５はシステムダウンキーであり、誤った入力操作が不都合を招くキーである。
【手続補正１１】
【補正対象書類名】明細書
【補正対象項目名】００６１
【補正方法】変更
【補正の内容】
【００６１】
図１６（Ａ）、（Ｂ）は本発明の実施例１０になるタッチパネル用保護シート１４０を示す。保護シート１４０は、透明であるＰＥＴフィルム本体１４１の表面にハードコート１４２を有し、ＰＥＴフィルム本体１４１の裏面の全面にドットスペーサ１４４を有し、且つ、ＰＥＴフィルム本体１４１の裏面の周囲に微粘着層部１４３を有する構成である。この保護シート１４０は、その周囲の部分を、液晶パネル７０とこの上面側のタッチパネル５０とよりなる構造のＰＤＡ７２の表示・入力部７３の上面に、即ち、タッチパネル５０の上面に接着されて取り付けられる。液晶パネル７０は図１５（Ａ）に示すと同様に画像キー１３０〜１３５を表示する。
【手続補正１２】
【補正対象書類名】明細書
【補正対象項目名】００６３
【補正方法】変更
【補正の内容】
【００６３】
図１７（Ａ），（Ｂ）に示すように、保護シート１４０が押されて撓まされたときに、ドットスペーサ１４４がタッチパネル５０の上側のフィルム６０の上面を押し、フィルム６０を撓ませる。よって、ドットスペーサ１４４付きの保護シート１４０を設けることによって、保護シートを設けない場合に比較して、入力荷重が軽減される。
【手続補正１３】
【補正対象書類名】明細書
【補正対象項目名】００６４
【補正方法】変更
【補正の内容】
【００６４】
ここで、ドットスペーサ１４４のピッチと入力荷重との関係について説明する。図１８に示すように、ドットスペーサ１４４のピッチが狭いと、入力荷重が増加し、ドットスペーサ１４４のピッチを広くすると、入力荷重が低くなる。
【手続補正１４】
【補正対象書類名】明細書
【補正対象項目名】００６５
【補正方法】変更
【補正の内容】
【００６５】
よって、画像キー１３０〜１３４の部分については、ドットスペーサ１４４がピッチｐ３で分散して配置してあるため、入力荷重は１０〜１００ｇｒであり略通常である。
【手続補正１５】
【補正対象書類名】明細書
【補正対象項目名】００６６
【補正方法】変更
【補正の内容】
【００６６】
しかし、画像キー１３５の部分については、ドットスペーサ１４４がピッチｐ２で分散して配置してあるため、入力荷重は４０〜１５０ｇｒと通常よりも高くなっている。よって、画像キー１３５については無意識に触れた程度では入力されず、意識して押した場合に初めて入力され、誤って、ＰＤＡがシステムダウンされる不都合は起き難くなる。
【手続補正１６】
【補正対象書類名】明細書
【補正対象項目名】００６８
【補正方法】変更
【補正の内容】
【００６８】
図１９（Ａ）、（Ｂ）は本発明の実施例１１になるタッチパネル用保護シート１５０を示す。保護シート１５０は、透明であるＰＥＴフィルム本体１５１の表面にハードコート１５２を有し、ＰＥＴフィルム本体１５１の裏面の全面にドットスペーサ１５４ａ，ドットスペーサ１５４ｂを有し、且つ、ＰＥＴフィルム本体１５１の裏面の周囲に微粘着層部１５３を有する構成である。この保護シート１５０は、その周囲の部分を、液晶パネル７０とこの上面側のタッチパネル５０とよりなる構造のＰＤＡの表示・入力部７３の上面に、即ち、タッチパネル５０の上面に接着されて取り付けられる。液晶パネル７０は図１５（Ａ）に示すと同様に画像キー１３０〜１３５を表示する。
【手続補正１７】
【補正対象書類名】明細書
【補正対象項目名】００６９
【補正方法】変更
【補正の内容】
【００６９】
ドットスペーサ１５４ａは、標準のスペーサ高さｈ２を有し、標準のピッチｐ２で分散して配置してある。但し、ＰＥＴフィルム本体１５１の裏面のうち画像キー１３５に対応する領域１５５については、高さｈ２よりも低い高さｈ３を有するドットスペーサ１５４ｂが標準のピッチｐ２で配置してある。
【手続補正１８】
【補正対象書類名】明細書
【補正対象項目名】００７２
【補正方法】変更
【補正の内容】
【００７２】
しかし、画像キー１３５の部分については、高さがｈ２よりも低いｈ３であるドットスペーサ１５４ｂが分散して配置してあるため、入力荷重は４０〜１５０ｇｒと通常よりも高くなっている。よって、画像キー１３５については無意識に触れた程度では入力されず、意識して押した場合に初めて入力され、誤って、ＰＤＡ７２がシステムダウンされる不都合は起き難くなる。
【手続補正１９】
【補正対象書類名】明細書
【補正対象項目名】００７５
【補正方法】変更
【補正の内容】
【００７５】
領域２００については、高さがｈ２のドットスペーサ１５４ａが標準のピッチｐ２で分散してあり、領域２０１については、高さがｈ３のドットスペーサ１５４ｂがピッチｐ３で分散してあり、領域２０２については、高さがｈ１のドットスペーサ１５４ｃがピッチｐ１で分散してある。領域２０１は入力荷重が通常よりも高くなり、領域２０２は入力荷重が通常よりも低くなる。領域２０２を頻繁に入力操作を行う画像キーに対応する部分に配置することによって、操作者は疲れにくくなり、ＰＤＡは操作性が向上する。